(57)【要約】【課題】ネジなどの他部材を用いることなく筐状部品を固定することができ、組み立て及び分離等の作業を容易に行うことができる筐体、及びこの筐体に液晶パネルなどの表示手段を収容した表示装置を提供する。【解決手段】表示装置の筐体を正面側筐体２０及び背面側筐体４０に分離可能とする。正面側筐体２０の背面（内面）に、２つの支軸部２４、２４及びこれに突設された係合部２５、２５を有する係合爪２３を突設する。背面側筐体４０には貫通孔４３を形成する。支軸部２４、２４を近接させるように撓ませて係合爪２３を背面側筐体４０の正面（内面）から貫通孔４３に挿通させ、貫通孔４３を挿通した係合爪２３の係合部２５、２５を背面側筐体４０の背面（外面）に係合させることにより、背面側筐体４０を正面側筐体２０に固定する。【選択図】図５
2008083563.tif 000002
【特許請求の範囲】
【請求項１】
複数の筐状部品を分離可能に固定した筐体において、
一の筐状部品に形成された貫通孔と、
該貫通孔を挿通可能に他の筐状部品に突出して設けられた可撓性を有する支軸部、及び該支軸部の突出方向に交差する方向に前記支軸部に突出して設けられた係合部を有する係合爪と
を備え、
前記支軸部を撓ませて前記係合爪を前記貫通孔の一側から他側へ挿通し、前記係合部を前記他側の前記貫通孔の周縁に係合させて、前記一の筐状部品と前記他の筐状部品とを固定するようにしてあり、
前記係合爪の前記係合部は、前記支軸部からの突出端の形状を弧状にしてあること
を特徴とする筐体。
【請求項２】
前記係合爪は、前記支軸部の突出端につまみ部を有する請求項１に記載の筐体。
【請求項３】
前記係合爪の前記係合部は、突出端の縁部分を面取りしてある請求項１又は請求項２に記載の筐体。
【請求項４】
前記係合爪を複数備え、
前記貫通孔は複数の前記係合爪が挿通可能にしてあり、
前記他の筐状部品には、一の係合爪の突出基部と他の係合爪の突出基部との間に凹曲面が形成してある請求項１乃至請求項３のいずれか１つに記載の筐体。
【請求項５】
複数の筐状部品を分離可能に固定した筐体と、該筐体に収容される表示手段とを備える表示装置において、
一の筐状部品に形成された貫通孔と、
該貫通孔を挿通可能に他の筐状部品に突出して設けられた可撓性を有する支軸部、及び該支軸部の突出方向に交差する方向に前記支軸部に突出して設けられた係合部を有する係合爪と
を備え、
前記支軸部を撓ませて前記係合爪を前記貫通孔の一側から他側へ挿通し、前記係合部を前記他側の前記貫通孔の周縁に係合させて、前記一の筐状部品と前記他の筐状部品とを固定するようにしてあること
を特徴とする表示装置。
【請求項６】
前記係合爪の前記係合部は、前記支軸部からの突出端の形状を弧状にしてある請求項５に記載の表示装置。
【請求項７】
前記係合爪は、前記支軸部の突出端につまみ部を有する請求項５又は請求項６に記載の表示装置。
【請求項８】
前記係合爪の前記係合部は、突出端の縁部分を面取りしてある請求項５乃至請求項７のいずれか１つに記載の表示装置。
【請求項９】
前記係合爪を複数備え、
前記貫通孔は複数の前記係合爪が挿通可能にしてあり、
前記他の筐状部品には、一の係合爪の突出基部と他の係合爪の突出基部との間に凹曲面が形成してある請求項５乃至請求項８のいずれか１つに記載の表示装置。
【発明の詳細な説明】
【技術分野】
【０００１】
本発明は、正面側筐体及び背面側筐体等の複数の筐状部品に分離可能な筐体、及びこの筐体に液晶パネルなどを収容した表示装置に関する。
【背景技術】
【０００２】
従来、大型且つ薄型の表示装置として、液晶ディスプレイ又はプラズマディスプレイ等が普及している。これらの表示装置において、例えば液晶ディスプレイの場合には、表示素子である液晶パネル、バックライト及びこれらの駆動回路が配された回路基板等の多くの部品が、扁平な直方体状をなす筐体内に収容されている。表示装置の筐体は合成樹脂により形成されている場合が多く、例えば正面側筐体及び背面側筐体の２つの部品に分離できるようにしてあり、液晶パネル、バックライト及び回路基板等を収容した後に金属製のネジを用いて正面側筐体と背面側筐体との固定を行うようにしてある。
【０００３】
図７は、従来の表示装置における正面側筐体及び背面側筐体の固定構造を示す模式的拡大断面図であり、正面側筐体及び背面側筐体の固定部分を拡大して図示したものである。図において１０１は表示装置の正面側筐体であり、１１０は背面側筐体である。正面側筐体１０１の内面には、軸心にネジ穴１０３が形成された略円筒状のボス１０２が突設してある。また、背面側筐体１１０の外面には、内側へ略円柱状に凹ませた凹所１１１が形成してあり、凹所１１１の底部分には貫通孔１１２が形成してある。ネジ１２０を背面側筐体１１０の貫通孔１１２を通して正面側筐体１０１のボス１０２のネジ穴１０３に螺合させることで、正面側筐体１０１と背面側筐体１１０とを固定することができるようにしてある。
【０００４】
特許文献１においては、表示部に相当する位置に開口部を有する枠部材と、枠部材の裏面にネジ部材を用いて固定され、筐体に係合する係合部材とを有し、係合部材がネジ部材の回動に応じて筐体に係合する位置と係合が解除される非係合位置とを移動するようにしてある前面フレームを備えた画像表示装置が提案されている。この画像表示装置では、前面フレームに設けられたネジ部材を回動させる簡単な操作で、前面フレームを筐体に取り付けることができ、また、前面フレームの交換を簡単に行うことができる。
【特許文献１】特開２００６−２５０６３号公報
【発明の開示】
【発明が解決しようとする課題】
【０００５】
従来の表示装置では図７に示すように正面側筐体１０１及び背面側筐体１１０をネジ１２０を用いて固定しているため、ネジ１２０自体のコスト及びネジ１２０を締結するための製造コスト等により、表示装置のコストの増加を招来するという問題があった。また、表示装置の修理及び点検等を行う際には、正面側筐体１０１及び背面側筐体１１０を分離するために多数のネジ１２０を取り外す必要があり、作業が繁雑であると共にネジ１２０を紛失する虞があるという問題がある。また、表示装置を廃棄する際には表示装置を分解して分別する必要があるが、正面側筐体１０１及び背面側筐体１１０が合成樹脂製であり、ネジ１２０が金属製である場合が多いため、分解及び分別の作業の効率が悪いという問題がある。
【０００６】
特許文献１に記載の画像表示装置は、筐体への前面フレームの取り付けにネジ部材及び係合部材を必要とするため、ネジ部材のコスト及びネジ部材を締結するための製造コスト等による画像表示装置のコストの増加を招来するという問題がある。また、画像表示装置を廃棄する際も同様に、金属製のネジ部材を分別する必要があるため、分解及び分別の作業の効率が悪いという問題がある。
【０００７】
本発明は、斯かる事情に鑑みてなされたものであって、その目的とするところは、一の筐状部品に貫通孔を形成し、他の筐状部品に突設された可撓性を有する支軸部及びこの支軸部に設けられた係合部を有する係合爪を、支軸部を撓ませて貫通孔の一側から他側へ挿通して係合部を貫通孔の他側の周縁に係合させ、一の筐状部品と他の筐状部品とを固定すると共に、係合爪の係合部の突出端の形状を弧状とする構成とすることにより、ネジなどの他部材を用いることなく一の筐状部品と他の筐状部品とを固定することができると共に、固定した一の筐状部品及び他の筐状部品の分離作業を容易に行うことができる筐体を提供することにある。
【０００８】
また本発明の他の目的とするところは、他の筐状部品の係合爪に、支軸部の突出端につまみ部を設ける構成とすることにより、固定した一の筐状部品及び他の筐状部品の分離作業をより容易に行うことができる筐体を提供することにある。
【０００９】
また本発明の他の目的とするところは、他の筐状部品の係合爪には、係合部の突出端の縁部分を面取りした構成とすることにより、係合爪の係合部の破損を防止することができる筐体を提供することにある。
【００１０】
また本発明の他の目的とするところは、他の筐状部品に係合爪を複数設けて一つの貫通孔に複数の係合爪を挿通して係合させると共に、一の係合爪の突出基部と他の係合爪の突出基部との間に凹曲面を形成する構成とすることにより、一の筐状部品と他の筐状部品とをより強固に固定することができると共に、係合爪を撓めた場合に突出基部が破損することを防止できる筐体を提供することにある。
【００１１】
また本発明の他の目的とするところは、表示手段を収容する筐体を複数の筐状部品に分離可能とすると共に、一の筐状部品に貫通孔を形成し、他の筐状部品に突設された可撓性を有する支軸部及びこの支軸部に設けられた係合部を有する係合爪を、支軸部を撓ませて貫通孔の一側から他側へ挿通して係合部を貫通孔の他側の周縁に係合させ、一の筐状部品と他の筐状部品とを固定する構成とすることにより、ネジなどの他部材を用いることなく一の筐状部品と他の筐状部品とを固定して筐体の組み立てを行うことができる表示装置を提供することにある。
【００１２】
また本発明の他の目的とするところは、他の筐状部品の係合爪は、支軸部に突出して設けられた係合部の突出端を弧状とする構成とすることにより、筐体を複数の筐状部品に分離する作業を容易に行うことができる表示装置を提供することにある。
【００１３】
また本発明の他の目的とするところは、他の筐状部品の係合爪には、支軸部の突出端につまみ部を設ける構成とすることにより、筐体を複数の筐状部品に分離する作業をより容易に行うことができる表示装置を提供することにある。
【００１４】
また本発明の他の目的とするところは、他の筐状部品の係合爪には、係合部の突出端の縁部分を面取りした構成とすることにより、係合爪の係合部の破損を防止することができる表示装置を提供することにある。
【００１５】
また本発明の他の目的とするところは、他の筐状部品に係合爪を複数設けて一つの貫通孔に複数の係合爪を挿通して係合させると共に、一の係合爪の突出基部と他の係合爪の突出基部との間に凹曲面を形成する構成とすることにより、一の筐状部品と他の筐状部品とをより強固に固定することができると共に、係合爪を撓めた場合に突出基部が破損することを防止できる表示装置を提供することにある。
【課題を解決するための手段】
【００１６】
本発明に係る筐体は、複数の筐状部品を分離可能に固定した筐体において、一の筐状部品に形成された貫通孔と、該貫通孔を挿通可能に他の筐状部品に突出して設けられた可撓性を有する支軸部、及び該支軸部の突出方向に交差する方向に前記支軸部に突出して設けられた係合部を有する係合爪とを備え、前記支軸部を撓ませて前記係合爪を前記貫通孔の一側から他側へ挿通し、前記係合部を前記他側の前記貫通孔の周縁に係合させて、前記一の筐状部品と前記他の筐状部品とを固定するようにしてあり、前記係合爪の前記係合部は、前記支軸部からの突出端の形状を弧状にしてあることを特徴とする。
【００１７】
本発明においては、筐体を複数の筐状部品に分離可能とする。一の筐状部品には貫通孔を形成し、他の筐状部品には貫通孔に係合する係合爪を設けて、貫通孔と係合爪との係合により一の筐状部品と他の筐状部品とを固定し、筐体の組み立てを行う。よって、筐体の組み立てにネジなどの他部材を必要としない。また、係合爪は、他の筐状部品に突出して設けられた支軸部と、支軸部に突出して設けられた係合部とを有する構成とし、係合爪を撓ませて貫通孔の一側から他側へ挿通し、係合部を貫通孔の他側の周縁に係合させる。これにより、係合爪を撓ませて貫通孔に挿通するのみで係合部を貫通孔の周縁に係合させることができ、撓んだ係合爪の復元力により係合が簡単に解除されることはない。筐体を分離する場合には、係合爪の撓みの復元力に抗して係合爪を撓ませ、係合部による係合を解除することによって行うことができる。また、支軸部に突出して設けられた係合部の突出端の形状を弧状とすることによって、例えば形状を矩形状とした場合には係合を解除する際に係合部の角部分が貫通孔の周縁に接触して係合の解除が困難となる虞があるが、弧状の場合にはこのような虞がなく、係合の解除を容易に行うことが可能となる。
【００１８】
また、本発明に係筐体は、前記係合爪が、前記支軸部の突出端につまみ部を有することを特徴とする。
【００１９】
本発明においては、係合爪の支軸部の突出端につまみ部を設ける。これにより、固定した一の筐状部品及び他の筐状部品を分離する場合に、つまみ部をつまんで係合爪を撓ませることができ、係合部の係合を解除することができる。
【００２０】
また、本発明に係る筐体は、前記係合爪の前記係合部が、突出端の縁部分を面取りしてあることを特徴とする。
【００２１】
本発明においては、係合爪の支軸部に突出して設けられた係合部の突出端の縁部分を面取りする。例えば係合部の縁部分が鋭角状に形成してある場合には、係合爪を貫通孔に挿通する際に係合部の縁部分が貫通孔の内面に衝突し、係合部が欠損するなどの虞がある。しかし、係合部の縁部分を面取りすることによって、貫通孔の内面に衝突した場合であっても、係合部に欠損が生じる虞を低減できる。
【００２２】
また、本発明に係る筐体は、前記係合爪を複数備え、前記貫通孔は複数の前記係合爪が挿通可能にしてあり、前記他の筐状部品には、一の係合爪の突出基部と他の係合爪の突出基部との間に凹曲面が形成してあることを特徴とする。
【００２３】
本発明においては、他の筐状部品に係合爪を複数設け、一の筐状部品の貫通孔に複数の係合爪を挿通して係合させることにより、一の筐状部品と他の筐状部品との固定を行う。係合爪が一つのみの場合と比較して、係合をより強固に行うことができ、より確実に一の筐状部品と他の筐状部品とを固定できる。また、一の係合爪の突出基部と他の係合爪の突出基部との間に凹曲面を形成する。例えば一の係合爪の突出基部と他の係合爪の突出基部との間を平面とした場合には、係合爪の支軸部を撓ませた際に、突出基部に大きな負荷が加わって破損する虞があるが、凹曲面を形成することによって負荷が特定個所に集中して加わることなく分散されるため、突出基部での破損を防止できる。
【００２４】
また、本発明に係る表示装置は、複数の筐状部品を分離可能に固定した筐体と、該筐体に収容される表示手段とを備える表示装置において、一の筐状部品に形成された貫通孔と、該貫通孔を挿通可能に他の筐状部品に突出して設けられた可撓性を有する支軸部、及び該支軸部の突出方向に交差する方向に前記支軸部に突出して設けられた係合部を有する係合爪とを備え、前記支軸部を撓ませて前記係合爪を前記貫通孔の一側から他側へ挿通し、前記係合部を前記他側の前記貫通孔の周縁に係合させて、前記一の筐状部品と前記他の筐状部品とを固定するようにしてあることを特徴とする。
【００２５】
本発明においては、液晶パネル及びこれを駆動する回路素子を搭載した基板等の表示手段を収容する筐体を、複数の筐状部品に分離可能とする。一の筐状部品には貫通孔を形成し、他の筐状部品には貫通孔に係合する係合爪を設けて、貫通孔と係合爪との係合により一の筐状部品と他の筐状部品とを固定し、筐体の組み立てを行う。よって、筐体の組み立てにネジなどの他部材を必要としない。また、係合爪は、他の筐状部品に突出して設けられた支軸部と、支軸部に突出して設けられた係合部とを有する構成とし、係合爪を撓ませて貫通孔の一側から他側へ挿通し、係合部を貫通孔の他側の周縁に係合させる。これにより、係合爪を撓ませて貫通孔に挿通するのみで係合部を貫通孔の周縁に係合させることができ、撓んだ係合爪の復元力により係合が簡単に解除されることはない。筐体を分離する場合には、係合爪の撓みの復元力に抗して係合爪を撓ませ、係合部による係合を解除することによって行うことができる。
【００２６】
また、本発明に係る表示装置は、前記係合爪の前記係合部が、前記支軸部からの突出端の形状を弧状にしてあることを特徴とする。
【００２７】
本発明においては、支軸部に突出して設けられた係合部の突出端の形状を弧状とする。これにより、例えば形状を矩形状とした場合には、係合を解除する際に係合部の角部分が貫通孔の周縁に接触して係合の解除が困難となる虞があるが、弧状の場合にはこのような虞がなく、係合の解除を容易に行うことが可能となる。
【００２８】
また、本発明に係る表示装置は、前記係合爪が、前記支軸部の突出端につまみ部を有することを特徴とする。
【００２９】
本発明においては、係合爪の支軸部の突出端につまみ部を設ける。これにより、固定した一の筐状部品及び他の筐状部品を分離する場合に、つまみ部をつまんで係合爪を撓ませることができ、係合部の係合を解除することができる。
【００３０】
また、本発明に係る表示装置は、前記係合爪の前記係合部が、突出端の縁部分を面取りしてあることを特徴とする。
【００３１】
本発明においては、係合爪の支軸部に突出して設けられた係合部の突出端の縁部分を面取りする。例えば係合部の縁部分が鋭角状に形成してある場合には、係合爪を貫通孔に挿通する際に係合部の縁部分が貫通孔の内面に衝突し、係合部が欠損するなどの虞がある。しかし、係合部の縁部分を面取りすることによって、貫通孔の内面に衝突した場合であっても、係合部に欠損が生じる虞を低減できる。
【００３２】
また、本発明に係る表示装置は、前記係合爪を複数備え、前記貫通孔は複数の前記係合爪が挿通可能にしてあり、前記他の筐状部品には、一の係合爪の突出基部と他の係合爪の突出基部との間に凹曲面が形成してあることを特徴とする。
【００３３】
本発明においては、他の筐状部品に係合爪を複数設け、一の筐状部品の貫通孔に複数の係合爪を挿通して係合させることにより、一の筐状部品と他の筐状部品との固定を行う。係合爪が一つのみの場合と比較して、係合をより強固に行うことができ、より確実に一の筐状部品と他の筐状部品とを固定できる。また、一の係合爪の突出基部と他の係合爪の突出基部との間に凹曲面を形成する。例えば一の係合爪の突出基部と他の係合爪の突出基部との間を平面とした場合には、係合爪の支軸部を撓ませた際に、突出基部に大きな負荷が加わって破損する虞があるが、凹曲面を形成することによって負荷が特定個所に集中して加わることなく分散されるため、突出基部での破損を防止できる。
【発明の効果】
【００３４】
本発明による場合は、筐体を複数の筐状部品に分離可能とし、一の筐状部品に貫通孔を形成し、他の筐状部品に突設された可撓性を有する支軸部及びこの支軸部に設けられた係合部を有する係合爪を、支軸部を撓ませて貫通孔の一側から他側へ挿通して係合部を貫通孔の他側の周縁に係合させ、一の筐状部品と他の筐状部品とを固定する構成とすることにより、筐体の組み立てにネジなどの他部材を必要としないため、筐体の部品コストの低減及び組立コストの低減を実現することができると共に、筐体の解体時にネジなどの他部材を分別する必要がないため、分解作業を簡単且つ高速に行うことができる。また、支軸部に突出して設けられた係合部の突出端の形状を弧状とする構成とすることにより、係合部の係合を解除する際に突出端が貫通孔の周縁に接触して係合の解除が困難となることを防止できるため、筐体の分離の作業性を向上することができる。
【００３５】
また、本発明による場合は、係合爪の支軸部の突出端につまみ部を設ける構成とすることにより、筐体を一の筐状部品及び他の筐状部品を分離する場合に、つまみ部をつまんで係合爪を撓ませることができるため、筐体の分離の作業性をより向上することができる。
【００３６】
また、本発明による場合は、係合爪の支軸部に突出して設けられた係合部の突出端の縁部分を面取りする構成とすることにより、係合爪を貫通孔に挿通する際に係合部の縁部分が貫通孔の内面に衝突した場合であっても、係合部に欠損が生じる虞を低減できるため、筐体の耐久性及び信頼性を向上することができる。
【００３７】
また、本発明による場合は、他の筐状部品に係合爪を複数設け、一の筐状部品の貫通孔に複数の係合爪を挿通して係合させる構成とすることにより、係合をより強固に行うことができ、より確実に一の筐状部品と他の筐状部品とを固定できるため、筐体の信頼性を向上することができる。また、一の係合爪の突出基部と他の係合爪の突出基部との間に凹曲面を形成する構成とすることにより、係合爪の支軸部を撓ませた際に突出基部に大きな負荷が加わって破損することを防止できるため、筐体の耐久性及び信頼性をより向上することができる。
【００３８】
また、本発明による場合は、表示手段を収容する筐体を複数の筐状部品に分離可能とし、一の筐状部品に貫通孔を形成し、他の筐状部品に突設された可撓性を有する支軸部及びこの支軸部に設けられた係合部を有する係合爪を、支軸部を撓ませて貫通孔の一側から他側へ挿通して係合部を貫通孔の他側の周縁に係合させ、一の筐状部品と他の筐状部品とを固定する構成とすることにより、筐体の組み立てにネジなどの他部材を必要としないため、筐体の部品コストの低減及び組立コストの低減を実現することができ、表示装置を低価格にて提供することができる。また、表示装置の解体時にネジなどの他部材を分別する必要がないため、分解作業を簡単且つ高速に行うことができる。
【００３９】
また、本発明による場合は、支軸部に突出して設けられた係合部の突出端の形状を弧状とする構成とすることにより、係合部の係合を解除する際に突出端が貫通孔の周縁に接触して係合の解除が困難となることを防止できるため、筐体の分離の作業性を向上することができる。よって、筐体内の表示手段が故障した場合などに、表示手段の修理又は交換等の作業を簡単且つ高速に行うことができる。
【００４０】
また、本発明による場合は、係合爪の支軸部の突出端につまみ部を設ける構成とすることにより、筐体を一の筐状部品及び他の筐状部品を分離する場合に、つまみ部をつまんで係合爪を撓ませることができるため、筐体の分離の作業性をより向上することができる。よって、筐体内の表示手段が故障した場合などに、表示手段の修理又は交換等の作業をより簡単且つより高速に行うことができる。
【００４１】
また、本発明による場合は、係合爪の支軸部に突出して設けられた係合部の突出端の縁部分を面取りする構成とすることにより、係合爪を貫通孔に挿通する際に係合部の縁部分が貫通孔の内面に衝突した場合であっても、係合部に欠損が生じる虞を低減できるため、表示装置の耐久性及び信頼性を向上することができる。
【００４２】
また、本発明による場合は、他の筐状部品に係合爪を複数設け、一の筐状部品の貫通孔に複数の係合爪を挿通して係合させる構成とすることにより、係合をより強固に行うことができ、より確実に一の筐状部品と他の筐状部品とを固定できるため、表示装置の信頼性を向上することができる。また、一の係合爪の突出基部と他の係合爪の突出基部との間に凹曲面を形成する構成とすることにより、係合爪の支軸部を撓ませた際に突出基部に大きな負荷が加わって破損することを防止できるため、表示装置の耐久性及び信頼性をより向上することができる。
【発明を実施するための最良の形態】
【００４３】
以下、本発明をその実施の形態を示す図面に基づき具体的に説明する。図１は、本発明に係る表示装置の構成を示す外観図であり、（ａ）に表示装置の側面図を示し、（ｂ）に表示装置の正面図を示してある。図において１は表示装置の本体部であり、本体部１は扁平な立方体状をなす合成樹脂製の筐体１０に収容されたＬＣＤパネル３及び回路基板（図示せず）等を備えている。また、本体部１は、筐体１０の背面に固定されたスタンド５により机上又は床上等に支持され、筐体１０の正面に設けられたＬＣＤパネル３による表示面が机上又は床上等に対して略垂直となるようにしてある。スタンド５は、机面又は床面等に当接する板状のベース部７と、ベース部７に略垂直に立設された多角柱状の支柱６とを有しており、支柱６の上側端部を筐体１０の背面に固定するようにしてある。また、筐体１０は、側面部分にて正面側筐体２０及び背面側筐体４０の２つに分離することができるようにしてあり、正面側筐体２０又は背面側筐体４０の一方にＬＣＤパネル３及び回路基板等を固定した後、この一方に他方を固定することで本体部１を組み立てるようにしてある。
【００４４】
図２は、本発明に係る表示装置の正面側筐体２０及び背面側筐体４０の構成を示す模式図であり、（ａ）に正面側筐体２０の背面側を図示し、（ｂ）に背面側筐体４０の正面側を図示してある。正面側筐体２０は、ＬＣＤパネル３を露出させる略矩形の開口２１ａが中央に形成された枠板部２１と、枠板部２１の背面の縁部分に一周に亘って設けられた周壁部２２とを有する構成である。背面側筐体４０は、正面側筐体２０の枠板部２１と略同じ大きさの略矩形をなす背面板部４１と、背面板部４１の正面の縁部分に一周に亘って設けられた周壁部４２とを有する構成である。これらにより、正面側筐体２０の枠板部２１が筐体１０の正面をなし、背面側筐体４０の背面板部４１が筐体１０の背面をなし、正面側筐体２０の周壁部２２及び背面側筐体４０の周壁部４２が筐体１０の側面をなすようにしてある。
【００４５】
また、正面側筐体２０の枠板部２１の背面には、複数の係合爪２３、２３…（詳細な形状及び機能等については後述する）が、適宜の間隔を空けて、周壁部２２に沿って枠板部２１の一周に亘って立設してある。背面側筐体４０の背面板部４１には、複数の貫通孔４３、４３…が、適宜の間隔を空けて、周壁部４２に沿って一周に亘って形成してある。なお、正面側筐体２０の係合爪２３、２３…及び背面側筐体４０の貫通孔４３、４３…は同数設けてあると共に、正面側筐体２０及び背面側筐体４０を組み立てた場合に対向する位置に設けてある。
【００４６】
図３は、本発明に係る表示装置の係合爪２３の構成を示す模式図であり、正面側筐体２０に設けられた１つの係合爪２３について図示してある。また、（ａ）に正面側筐体２０での背面視を図示し、（ｂ）に一の方向からの側面視を図示し、（ｃ）に直交する他の方向からの側面視を図示してある。正面側筐体２０に立設された係合爪２３は、合成樹脂製であり、正面側筐体２０と一体的に形成されるものである。係合爪２３は、枠板部２１の背面から突出して設けられ、略矩形の板状をなす２つの支軸部２４、２４を有している。２つの支軸部２４、２４は、幅広の面が対向するように設けてあり、合成樹脂製であるため近接又は離隔する方向へ撓ませることができる。支軸部２４、２４は、枠板部２１の背面に形成された円形凹部２８に突設してあると共に、２つの支軸部２４、２４の突出基部の間には凹曲面２７が形成してあり、支軸部２４、２４の対向面が滑らかに連なるようにしてある。また、支軸部２４、２４の枠板部２１からの突出量は、枠板部２１に設けられた周壁部２２の高さより大きくしてある。
【００４７】
支軸部２４、２４の突出端部近傍には、他の支軸部２４、２４との対向面の反対面に、係合部２５、２５がそれぞれ突設してある。係合部２５、２５は、正面側筐体２０の背面視で突出端の縁部分２５ａの形状が円弧状にしてあると共に、側面視で滑らかな平面又は曲面となるように面取りしてある。また、係合部２５、２５は、支軸部２４、２４の突出端部側から突出基部側へ向けて、支軸部２４、２４からの突出量が増すようにテーパ状にしてあると共に、係合部２５、２５は、支軸部２４、２４の突出基部側が、支軸部２４、２４の幅広の面に略垂直な平面にしてある。また、係合部２５、２５は、支軸部２４、２４の突出端部から突出基部へ若干離れた位置に設けてあり、支軸部２４、２４の突出端部は、支軸部２４、２４を撓ませる際の滑り止めをなすつまみ部２６、２６としてある。
【００４８】
図４は、本発明に係る表示装置の貫通孔４３の構成を示す模式図であり、背面側筐体４０に形成された１つの貫通孔４３について図示してある。また、（ａ）に貫通孔４３及びその周辺の背面視を図示し、（ｂ）に側断面を図示してある。背面側筐体４０の背面板部４１には、外側から内側へ（背面側から正面側へ）略円錐台形に凹ませた凹所４４が形成してある。凹所４４は、背面側筐体４０の外側から内側へ縮径するテーパ状の周壁と略円形の底壁とにより囲まれており、底壁の中央に略矩形の貫通孔４３が形成してある。また、凹所４４の凹み量は、背面板部４１に設けられた周壁部４２の高さと略同じにしてある。
【００４９】
貫通孔４３は、一方の幅が係合爪２３の一の支軸部２４の広い方の幅に略等しく、他方の幅が２つの支軸部２４、２４の係合部２５、２５が設けられた面の間の距離に略等しくしてある。また、係合爪２３の支軸部２４、２４を撓ませて近接させた場合に、係合部２５、２５のそれぞれの突出端の間の距離が貫通孔４３の他方の幅より小さくなるように、即ち支軸部２４、２４を撓ませて近接させることにより、係合爪２３の係合部２５、２５が設けられた部分が貫通孔４３を挿通することができるように、係合部２５、２５の突出量が定めてある。
【００５０】
図５は、正面側筐体２０及び背面側筐体４０を固定した状態を示す模式図であり、（ａ）に背面視を図示し、（ｂ）に側断面を図示してある。正面側筐体２０及び背面側筐体４０は、正面側筐体２０の周壁部２２と背面側筐体４０の周壁部４２とが当接することによって、正面側筐体２０及び背面側筐体４０がこれ以上に近接することが阻止されると共に、正面側筐体２０の係合爪２３が背面側筐体４０に係合することによって、正面側筐体２０及び背面側筐体４０が離隔することを阻止することができる、即ち正面側筐体２０及び背面側筐体４０を不動に固定し、表示装置の筐体１０を組み立てることができるようにしてある。
【００５１】
正面側筐体２０の係合爪２３による背面側筐体４０との係合は、係合爪２３の支軸部２４の突出端部を背面側筐体４０に形成された貫通孔４３に挿通し、支軸部２４、２４に設けられた係合部２５、２５を背面側筐体４０の凹所４４に係合させることで行うようにしてある。図６は、係合爪２３及び凹所４４の係合方法を説明するための模式図であり、（ａ）から（ｂ）へ時系列的に係合の手順を図示してある。
【００５２】
正面側筐体２０の係合爪２３を背面側筐体４０の凹所４４に係合させる場合、まず、背面側筐体４０を正面側筐体２０へ近接させて、係合爪２３の先端部分を貫通孔４３内に挿入する。その後、更に背面側筐体４０を正面側筐体２０へ近接させることにより、係合爪２３の係合部２５、２５のテーパ状の部分に貫通孔４３の内面が当接するため、係合爪２３の支軸部２４、２４を近接させるように撓ませることができる（図６（ａ）参照）。このとき、係合部２５、２５の突出端の縁部分２５ａを面取りした構成とすることによって、貫通孔４３の内面との当接により係合部２５、２５の突出端に割れ又はつぶれ等の破損が生じることを防止できる。
【００５３】
正面側筐体２０及び背面側筐体４０はそれぞれの周壁部２２及び４２が当接するまで近接させることができ、また、係合爪２３の支軸部２４、２４の突出量は周壁部２２の高さより大きくしてあり、凹所４４の凹み量は周壁部４２の高さと略同じにしてあるため、正面側筐体２０の周壁部２２及び背面側筐体４０の周壁部４２が当接した場合には、係合爪２３の周壁部２２より突出した部分が凹所４４の貫通孔４３を挿通する。このとき、係合爪２３の係合部２５、２５は背面側筐体４０の背面まで貫通孔４３を挿通して露出するようにしてある。係合爪２３の係合部２５、２５が貫通孔４３を挿通することにより、支軸部２４、２４の撓みが復元し（図６（ｂ）参照）、係合部２５、２５が凹所４４の底壁の貫通孔４３の周縁に当接して係合する（図５参照）。この状態では、係合部２５、２５と凹所４４との係合により、正面側筐体２０及び背面側筐体４０を離隔することはできない。
【００５４】
係合爪２３の係合部２５、２５と凹所４４との係合を解除して、筐体１０を正面側筐体２０及び背面側筐体４０に分離する場合には、まず、係合爪２３のつまみ部２６、２６をつまんで支軸部２４、２４を近接するように撓ませる。これにより、係合爪２３による係合が解除され、係合爪２３の係合部２５、２５が貫通孔４３を背面側から正面側へ挿通することが可能となり、背面側筐体４０を正面側筐体２０から離隔させることができる。このとき、係合爪２３につまみ部２６、２６を設けることにより、支軸部２４、２４を近接するように撓ませる操作が行いやすいという利点がある。また、係合部２５、２５の突出端の縁部分２５ａを円弧状とすることにより、係合部２５、２５と凹所４４との係合の解除が行いやすいという利点がある。
【００５５】
以上の構成の表示装置においては、正面側筐体２０に係合爪２３を突設し、背面側筐体４０に貫通孔４３を形成して、貫通孔４３を挿通させた係合爪２３を背面側筐体４０に係合させることによって背面側筐体４０を正面側筐体２０に固定する構成とすることにより、ネジなどの他部材を用いることなく筐体１０の組み立てを行うことができるため、表示装置の部品コスト及び組立コストの低減を実現できる。また、係合爪２３を合成樹脂製の正面側筐体２０と一体的に成形することにより、表示装置の解体時にネジなどの他部材を分別する必要がなく、解体作業を簡単に且つ高速に行うことができる。
【００５６】
また、係合爪２３の係合部２５、２５を、正面側筐体２０の背面視で突出端の縁部分２５ａが円弧状となるように形成することによって、係合部２５、２５と凹所４４との係合の解除が行いやすく、係合部２５、２５が貫通孔４３内を挿通しやすくすることができる。また、係合部２５、２５を、突出端の縁部分２５ａが面取りされた構成とすることにより、係合部２５、２５を貫通孔４３内に挿通させる場合に、係合部２５、２５の突出端が破損し、係合部２５、２５が破損することを防止することができる。また、係合部２５、２５を、支軸部２４、２４の突出端部側から突出基部側へ向けてテーパ状に形成することによって、係合爪２３を突出端部から貫通孔４３に挿通させるのみで支軸部２４、２４を容易に撓ませることができる。また、係合部２５、２５の凹所４４の底壁に当接する部分を、支軸部２４、２４の幅広の面に略垂直な平面とすることで、係合部２５、２５と凹所４４との係合をより強固に行うことができる。また、係合爪２３の突出端部につまみ部２６、２６を設けることにより、係合爪２３による係合の解除を容易に行うことができるため、表示装置の修理又は点検等の際に、筐体１０を容易に正面側筐体２０及び背面側筐体４０に分離することができる。
【００５７】
また、係合爪２３が２つの支軸部２４、２４を有し、支軸部２４、２４の対向面の反対面に係合部２５、２５をそれぞれ突設し、２つの係合部２５、２５が貫通孔４３の周縁の相対する位置で係合する構成とすることにより、支軸部２４及び係合部２５を１つのみ備える場合と比較して、より強固な係合を実現できる。また、２つの支軸部２４、２４の突出基部の間に凹曲面２７を形成することにより、支軸部２４、２４を撓めた場合の力が特定の箇所に集中することを防止できるため、支軸部２４、２４を撓めることによって支軸部２４、２４が破損することを防止できる。また、背面側筐体４０に凹所４４を形成し、凹所４４の底壁に貫通孔４３を形成することにより、表示装置の背面の美観を損なうことがなく、また、表示装置の背面に露出した係合爪２３の突出端部が破損することを防止することができる。
【００５８】
なお、本実施の形態においては、正面側筐体２０に係合爪２３を突設し、背面側筐体４０に貫通孔４３を形成する構成としたが、これに限るものではなく、正面側筐体２０に貫通孔を形成し、背面側筐体４０に係合爪を形成する構成としてもよい。また、係合爪２３が支軸部２４、２４及び係合部２５、２５等を２つずつ有する構成としたが、これに限るものではなく、１つずつ又は３つ以上ずつ有する構成であってもよい。また、貫通孔４３の形状を略矩形としたが、これに限るものではなく、円形又は小判型等の他の形状であってもよい。また、係合爪２３の係合部２５、２５の縁の形状を円弧状としたが、これに限るものではなく、楕円の弧状又は放物線状等の他の形状であってもよい。また、背面側筐体４０に凹所４４を設け、凹所４４の底壁に貫通孔４３を形成する構成としたが、これに限るものではなく、背面側筐体４０の背面板部４１に貫通孔を形成する構成としてもよい。また、表示装置の筐体１０を例に説明を行ったが、他の機器の筐体に同様の構成を適用してもよい。
【図面の簡単な説明】
【００５９】
【図１】本発明に係る表示装置の構成を示す外観図である。
【図２】本発明に係る表示装置の正面側筐体及び背面側筐体の構成を示す模式図である。
【図３】本発明に係る表示装置の係合爪の構成を示す模式図である。
【図４】本発明に係る表示装置の貫通孔の構成を示す模式図である。
【図５】正面側筐体及び背面側筐体を固定した状態を示す模式図である。
【図６】係合爪及び凹所の係合方法を説明するための模式図である。
【図７】従来の表示装置における正面側筐体及び背面側筐体の固定構造を示す模式的拡大断面図である。
【符号の説明】
【００６０】
１  本体部
３  ＬＣＤパネル（表示手段）
５  スタンド
１０  筐体
２０  正面側筐体（筐状部品）
２３  係合爪
２４  支軸部
２５  係合部
２６  つまみ部
２７  凹曲面
４０  背面側筐体（筐状部品）
４３  貫通孔
４４  凹所
【図１】
2008083563.tif 000003
【図２】
2008083563.tif 000004
【図３】
2008083563.tif 000005
【図４】
2008083563.tif 000006
【図５】
2008083563.tif 000007
【図６】
2008083563.tif 000008
【図７】
2008083563.tif 000009